(57)【要約】  表示物品を支持するための支持表面上に装着されるように適合された接着クリップアセンブリ（１０）が、前面（１２）および後面（１４）を有するクリップシート（１１）と、クリップシートの後面の少なくとも一部上に配置された感圧接着剤の層（２４）とを含む。クリップシートは、可撓性つまみ（４４）を規定する、それを通るカット（４０）を有し、つまみは、前側（４６）および後側（４８）を有する。クリップシートの後面の、上に接着剤が配置された部分は、つまみの後側を含む。クリップシートの前面は接着剤がない。表示物品が、クリップシートの前面に対して配置され、かつつまみの下に少なくとも部分的に整列されたとき、表示物品は、つまみの後側上の接着剤への接着、および可撓性つまみによってクリップシートの前面の方に加えられたスプリング力によって、クリップシートに対して所定位置に維持される。
2008501550.tif 000002
【特許請求の範囲】
【請求項１】
紙のシートまたは軽重量アイテムを支持するための支持表面上に装着されるように適合された接着クリップアセンブリであって、前記接着クリップアセンブリが、
前面および後面を有するクリップシートであって、可撓性のつまみを規定するカットを有し、前記つまみが前側および後側を有する、クリップシートと、
前記つまみの前記後側を含む、前記クリップシートの前記後面の少なくとも一部に配置された感圧性の接着剤の層と、
を含み、前記クリップシートの前記前面には接着剤が配置されてないものであり、
前記クリップシートの前記前面に対して配置され、かつ前記つまみの下に少なくとも部分的に整列された前記紙のシートまたは前記軽重量アイテムが、前記つまみの前記後側で前記接着剤への接着、および前記可撓性のつまみによる前記クリップシートの前記前面の方に加えられたスプリング力によって、前記クリップシートに対して所定位置に維持されている、接着クリップアセンブリ。
【請求項２】
前記接着剤が貼り直し可能な感圧接着剤である、請求項１に記載の接着クリップアセンブリ。
【請求項３】
前記シートまたは前記軽重量アイテムが前記可撓性のつまみおよび前記クリップシートの間に配置されないとき、前記つまみおよび前記クリップシートが同じ平面内に位置する、請求項１に記載の接着クリップアセンブリ。
【請求項４】
前記クリップシートが外周を有し、前記カットが前記外周から隔置され、それにより、前記つまみの周りに延在する前記クリップシートのボーダー部分を規定する、請求項１に記載の接着クリップアセンブリ。
【請求項５】
前記つまみが、該つまみの下で前記紙のシートまたは前記軽重量アイテムの挿入を促進するために、前記クリップシートの前記前面に対して高くなった自由端を有する、請求項１に記載の接着クリップアセンブリ。
【請求項６】
前記クリップシートが、ポリマー、紙、および金属シート材料からなる群から選択される、請求項１に記載の接着クリップアセンブリ。
【請求項７】
前記クリップシートが、ポリエステルおよびポリプロピレンからなる群から選択されるポリマーシート材料である、請求項６に記載の接着クリップアセンブリ。
【請求項８】
前記クリップシートが厚さが約０．００５インチ以下である、請求項７に記載の接着クリップアセンブリ。
【請求項９】
前記クリップシートの前記後面が、前記接着剤の層を支持する第１の領域と、前記接着剤がない第２の領域とを有する、請求項１に記載の接着クリップアセンブリ。
【請求項１０】
前記つまみが前記第１の領域内に形成されている、請求項９に記載の接着クリップアセンブリ。
【請求項１１】
前記つまみが自由端およびヒンジ端部を有し、前記つまみの前記ヒンジ端部が前記第２の領域に面している、請求項１０に記載の接着クリップアセンブリ。
【請求項１２】
前記つまみの前記後側の領域が、前記つまみの領域より小さい、前記クリップシートの前記後面で前記第１の領域の半分より小さい、請求項１０に記載の接着クリップアセンブリ。
【請求項１３】
前記クリップシート上に、第１の面の観察者に見えるように配置された印をさらに含み、前記印が、前記クリップシートの前記後面で前記第２の領域に対応する前記クリップシートの部分に隣接して配置されている、請求項９に記載の接着クリップアセンブリ。
【請求項１４】
前記クリップシートが透明な基材であり、前記印がその前記後面に配置されている、請求項１３に記載の接着クリップアセンブリ。
【請求項１５】
前記クリップシートが不透明な基材であり、前記印がその前記前面に配置されている、請求項１３に記載の接着クリップアセンブリ。
【請求項１６】
前記感圧性の接着剤が、前記クリップシートの後面の大部分を被覆するように配置されている、請求項９に記載の接着クリップアセンブリ。
【請求項１７】
前記つまみが、前記紙のシートまたは前記軽重量アイテム上の印が前記つまみを通して見えるように、前記紙のシートまたは前記軽重量アイテムに接着されたときに十分に透明である、請求項１に記載の接着クリップアセンブリ。
【請求項１８】
頂部側で接着剤剥離表面を有するバッキング層をさらに含み、
複数の前記クリップシートが、各クリップシートの後面で前記感圧性の接着剤を介して、分配のために前記バッキング層の前記頂部側に接着されている、請求項１に記載の接着クリップアセンブリ。
【請求項１９】
前記バッキング層がシートである、請求項１に記載の接着クリップアセンブリ。
【請求項２０】
前記バッキング層が巻かれたウェブである、請求項１に記載の接着クリップアセンブリ。
【請求項２１】
分配および使用前、複数の前記クリップシートが積重ねられた形態で、各クリップシートの前記後面で前記感圧性の接着剤を介してともに接着されている、請求項１に記載の接着クリップアセンブリ。
【請求項２２】
前記複数のクリップシートがＺ折り構成で積重ねられている、請求項２１に記載の接着クリップアセンブリ。
【請求項２３】
前記複数のクリップシートを積重ねられた形態で維持するためのディスペンサをさらに含む、請求項２１に記載の接着クリップアセンブリ。
【請求項２４】
前記クリップシート上で、その第１の面の観察者に見えるように配置された印をさらに含む、請求項１に記載の接着クリップアセンブリ。
【請求項２５】
支持表面上に接着する外面および内面を有する表示物品の接着方法であって、
前面および後面を有するクリップシートであって、つまみを規定するカットを有し、前記つまみが前側および後側を有する、クリップシートと、前記つまみの前記後側を含む、前記クリップシートの前記後面の少なくとも一部に配置された感圧性の接着剤の層とを提供することであって、前記つまみの前記前側を含む、前記クリップシートの前記前面には、前記接着剤を提供しないことと、
前記表示物品を前記つまみと前記クリップシートとの間に挿入することであって、前記表示物品の前記内面の少なくとも一部を、前記クリップシートの前記前面に対して配置し、前記表示物品の前記外面の少なくとも一部を、前記つまみの下にし、前記つまみの前記後側で前記感圧性の接着剤の層によって前記つまみに接着し、それにより、前記表示物品を前記クリップシートに固定して、接着表示アセンブリを形成することと、
前記接着表示アセンブリを前記支持表面に接着するために、前記クリップシートの前記後面で前記感圧性の接着剤の層を前記支持表面に対して付勢すること、
を含む接着方法。
【請求項２６】
前記つまみが弾性的に可撓性であり、前記可撓性のつまみによって前記クリップシートの前記前面の方に加えられたスプリング力によって、前記表示物品を前記クリップシートにさらに固定する、請求項２５に記載の接着方法。
【請求項２７】
前記つまみが、前記表示物品の前記外面上の印が前記つまみを通して見えるように、十分に透明である、請求項２５に記載の接着方法。
【請求項２８】
前記クリップシート単独の取扱いを促進し、かつ前記接着表示アセンブリを取扱うのを促進するために、前記クリップシートの前記後面が前記接着剤のない領域を有する、請求項２５に記載の接着方法。
【請求項２９】
前記つまみが自由端およびヒンジ端を有し、前記ヒンジ端が前記接着剤のない前記クリップシートの前記後面上の領域に面する、請求項２８に記載の接着方法。
【請求項３０】
前記接着剤の層が貼り直し可能な感圧接着剤である、請求項２５に記載の接着方法。
【発明の詳細な説明】
【技術分野】
【０００１】
本発明は、感圧接着剤を使用して表示物品を基材表面上に支持する接着クリップアセンブリに関する。より特定的には、接着クリップアセンブリは、接着後面と、接着剤支持つまみとクリップアセンブリの前面との間に挿入された表示物品と係合する接着剤支持つまみとを有する。
【背景技術】
【０００２】
表示または整理の目的のため、紙シートを互いにまたは他の表面に取付けるために、家庭およびオフィスにおいてさまざまな小さいクリップが使用される。従来の曲げられたワイヤペーパークリップ、および打抜かれたシート金属または成形プラスチックから製造された他のより最近の変形が、いくつかの紙のシートをともに取付けるために、または名刺などの小さいシートを手紙またはフォルダの端縁に取付けるために広く使用される。このタイプのペーパークリップは、機能において、シートの周囲における取付けに制限される。しかし、名刺を手紙の中心部分に（すなわち、署名に隣接して）取付けること、または、名刺を、ワイヤペーパークリップを保持するための好都合な端縁を有さない製品サンプルに取付けることが好ましい場合がある。
【０００３】
どこにでもある「冷蔵庫磁石」は、シートを鉄金属表面に対して支持するのに役立つ。磁石をスプリンググリップ部分と組合せるクリップも利用可能である。さらに、クリップを１つの表面に接着するために使用される、１つの側上の接着剤を有し、スプリンググリップ部分自体が、紙のシートまたは他の同様の物品をクリップ内に固定するために使用されるスプリングクリップが利用可能である。このタイプの磁気または接着スプリングクリップは、スプリングクリップ部分の三次元設計によってかなりかさばっている。かさばったスプリングクリップは、明らかに、小さいシートを、折畳まれるべきである手紙に（名刺を手紙になど）取付けるのに不適切であり、一般に、使い捨てアイテムとしての使用のために考慮されるには高価すぎる。
【発明の開示】
【発明が解決しようとする課題】
【０００４】
ノッチ、またはフラップまたは「つまみ」がカットされた、プラスチックまたは金属の単体シートから形成されたクリップが知られている。つまみは、シートの残りの平面から曲げることによって、高くすることができる。紙のシートを、つまみの下に挿入し、つまみのスプリング圧力によって所定位置に保持することができる。つまみのスプリング圧力は、シートを形成する材料の曲げ弾性率によって定められる。そのようなクリップの接着剤バージョンが、接着剤を、シートの１つの側上で、クリップのつまみ部分から離れた領域内に配置することによって製造されている。接着剤の機能は、クリップをターゲット表面に結合することである。したがって、接着剤機能（クリップをターゲット表面に固定すること）は、つまみの機能（紙シートをクリップ内に固定する）と完全に別である。紙のシートを保持するために、曲げられたつまみの十分なスプリング圧力がもたらされることを確実にするために、そのようなシート材料が、かなり厚く、したがって、比較的高価であることが必要である。
【課題を解決するための手段】
【０００５】
本発明は、上に紙のシートまたは軽重量アイテムを支持するための支持表面上に接着剤で装着されるように適合されたクリップアセンブリを提供する。クリップアセンブリは、前面および後面を有するクリップシートを含む。クリップシートは、可撓性つまみを規定する、それを通るカットを有し、つまみは、前側および後側を有する。感圧接着剤の層が、つまみの後側を含む、クリップシートの後面の少なくとも一部上に配置され、クリップシートの前面は接着剤がない。クリップシートの前面に対して配置され、かつつまみの下に少なくとも部分的に整列された紙のシートまたは軽重量アイテムが、つまみの後側上の接着剤への接着、および可撓性つまみによってクリップシートの前面の方に加えられたスプリング力によって、クリップシートに対して所定位置に維持される。
【０００６】
一実施形態において、本発明は、外面および内面を有する表示部材を支持表面上に接着する方法である。この方法は、前面および後面を有するクリップシートであって、クリップシートが、つまみを規定する、それを通るカットを有し、つまみが、前側および後側を有する、クリップシートを提供する工程を含む。感圧接着剤の層が、つまみの後側を含む、クリップシートの後面の少なくとも一部上に配置される。つまみの前側を含む、クリップシートの前面は、接着剤がない。この方法は、表示部材をつまみとクリップシートとの間に挿入して、表示部材の内面の少なくとも一部が、クリップシートの前面に対して配置され、表示部材の外面の少なくとも一部が、つまみの下にあり、つまみの後側上の感圧接着剤の層によってそれに接着され、それにより、表示部材がクリップシートに固定されて、接着表示アセンブリを形成する工程をさらに含む。この方法は、クリップシートの後面上の感圧接着剤の層を支持表面に対して付勢して、接着表示アセンブリを支持表面に接着する工程をさらに含む。
【０００７】
図面は、本発明のいくつかの実施形態を記載するが、説明で示されるように、他の実施形態も企図される。すべての場合において、本開示は、本発明を代表として提示し、限定としてではない。本発明の原理の範囲および精神の範囲内である多数の他の修正および実施形態が、当業者によって考案され得ることが理解されるべきである。図は同じ割合で描かれていないことがある。図全体を通して同じ参照番号を使用して同じ部分を示した。
【発明を実施するための最良の形態】
【０００８】
本発明の接着クリップアセンブリの一実施形態が、図１〜６に示されている。この実施形態において、接着クリップアセンブリ１０は、ポリマーシートまたはペーパークリップシート１１などの、材料の矩形シートである。クリップシート１１は、前面１２（図１）と、後面１４（図６）とを有する。クリップシート１１は、それぞれ、頂縁１６および底縁１８、ならびに互いに反対の右側縁２０および左側縁２２を有する。図３、図４、図５、および図６に見られるように、クリップシート１１の後面１４は、その上に感圧接着剤の層２４を有し、前面１２は接着剤がない。
【０００９】
図１〜６に示された実施形態において、クリップシート１１の後面１４は、感圧接着剤２４を支持する第１の領域２６と、接着剤がない第２の領域２８とを有する。図６において、第１の領域２６は、点描（ｓｔｉｐｌｉｎｇ）によって示され、側縁２０から側縁２２まで、および底縁１８から、領域２６と領域２８との間の分離を規定する上部接着剤端縁３０まで、後面１４を横切って延在するのを見ることができる。接着剤がない第２の領域２８は、クリップシート１１を取扱うための好都合な手段として役立つ。
【００１０】
クリップシート材料のその部分が、透明な材料から形成される場合、クリップシート１１の後面１４上の第２の領域２８は、次にクリップシート１１の前面１２の観察者に見える、着色インク層などの、その上の印を含むことができる。印は、１つの色であることができるか、印刷されたメッセージ（たとえば、「ここでつかめ」）を含むことができる。さらに、印は、第２の領域２８に一般に空間的配列で対応する、クリップシート１１の前面１２上の頂部領域３２（図１）上に配置することができる。
【００１１】
クリップシート１１は、フラップまたはつまみ４４を規定するように成形された、それを通るカット４０を有する。つまみ４４は、クリップシート１１の後面１４の第１の領域２６内に配置される。つまみ４４は、前側４６と、後側４８とを有し、かつつまみヒンジ領域４９でクリップシート１１に連結されたままである。図６に見られるような後側４８は、その上に感圧接着剤の層の一部（図３、図４、図５、および図６に接着剤２４Ａとして示されているような）を支持する。接着剤２４／２４Ａは、任意の適切な感圧接着剤であることができるが、一実施形態において、接着剤は、貼り直し可能な感圧接着剤である（たとえば、微小球接着剤であることができる）。「貼り直し可能な」という用語は、実質的に粘着性を失うことなく、少なくとも２回、クリップシート接着剤をきれいな固体表面に接着しそれから取外すことができることを意味する。一実施形態において、粘着性を失うことなく、少なくとも１０回、クリップシートをきれいな固体表面に接着しそれから取外すことができる。別の実施形態において、粘着性を失うことなく、少なくとも２０回、クリップシートをきれいな固体表面に接着しそれから取外すことができる。
【００１２】
図５に見られるように、クリップシート１１、およびそれから形成されたつまみ４４は、同じ平面内に位置する。クリップシートは、ポリマー、紙、または金属シート材料などの、任意の適切な平面材料から形成することができ、かつ、部分的にまたは完全に透明または不透明であることができる。ポリマーシート材料が使用される場合、ポリマーシート材料は、ポリエステルおよびポリプロピレンからなる群から選択することができる。
【００１３】
図２、図３、および図４は、使用中の接着クリップアセンブリ１０を示す。表示物品５０（名刺、紙のシート、写真など）が、外面５２と、内面５４とを有する。表示物品５０は、その内面５４が、クリップシート１１の前面１２に対して配置され、かつ、つまみ４４の下に少なくとも部分的に整列される。したがって、表示物品５０の外面５２の一部は、つまみ４４の後側４８上の接着剤２４Ａによって係合され、それに接着される。一実施形態において、クリップシート１１（およびしたがって、それから一体的に形成されたつまみ４４）は、可撓性材料から形成される。したがって、表示物品５０の、クリップシート１１の前面１２とつまみ４４との間の挿入は、つまみ４４を、いかなるクリップシート１１からも離れて外方に（図３および図４に見られるように）曲げる。可撓性材料は弾性であり、したがって、つまみ４４は、当然、その静止位置（図５に見られるように、クリップシート１１と同一平面上の）にスプリングバイアスされて戻される。つまみ４４は、スプリング力を表示物品５０に加え、それをクリップシート１１の前面１２に対して付勢する。したがって、表示物品５０は、このスプリング力によって、およびまた、つまみ４４の後側４８上の接着剤２４Ａによって、接着クリップアセンブリ１０に対して所定位置に維持される。いずれの力も、表示物品５０を保持するのに十分であることができるが（その重量および構成によって）、２つの力は、ともに組合さって、非常に多用途のかつ独特の接着クリップアセンブリを規定する。表示物品５０の上縁５５を、できるだけつまみ４４の下に遠く（ヒンジ領域４９まで）挿入することによって、つまみ４４の後側４８上の一定の最大の量の接着剤２４Ａを、特定の接着クリップアセンブリ１０によって維持された各表示物品上に載るようにすることができる。いったん表示物品５０が接着クリップアセンブリ１０に装着されると、それらは、合せて、接着表示アセンブリ７５を規定する（図２を参照のこと）。
【００１４】
図２において、表示部材５０がその上に印を有することを見ることができる。一実施形態において、クリップシート１１（または少なくともそのつまみ４４）が、表示物品５０の外面５２上の印がつまみ４４を通して見えるように、表示物品５０に接着されたときに十分に透明である材料から形成される。
【００１５】
図６によって示されているように、クリップシート１１の後面１４の大部分が接着剤２４で被覆される。図３および図４に見られるように、接着クリップ１１の後面１４上の接着剤２４を使用して、接着クリップアセンブリ１０を基材表面６０に接着する。一実施形態において、接着剤２４Ａを支持するつまみ４４の４８の後側の領域が、クリップシート１１の後面１４上の第１の領域２６の半分より小さい。つまみ４４を規定するカット４０は、クリップシート１１の周縁（端縁１８、２０、および２２など）から隔置され、それにより、つまみ４４の周りに延在する、クリップシート１１の接着剤支持ボーダー部分を規定する。一実施形態において、クリップシート１１のボーダー部分は、表示物品５０の外面５２上の印がボーダー部分を通して見えるように、表示物品５０に接着されたときに十分に透明である材料から形成される。
【００１６】
図５Ａに見られるように、接着クリップアセンブリ１０の代替実施形態において、つまみ４４は、紙のシートまたは写真などの表示物品の、つまみ４４とクリップシート１１の前面１２との間の挿入をより容易に促進するために、クリップシート１１の前面１２に対して高くされた自由端４５を有する。図５に示されたクリップシート１１の場合、つまみの自由端とクリップシート１１の前面１２との間の分離を生じさせる同様の効果を、クリップシート１１を曲げる（たとえば、図５に見られるように、クリップシート１１の中心から左に弓形に曲げる）ことによって達成することができる。
【００１７】
使用中、上で説明されたように、クリップシート１１を、その後面１４上の接着剤２４によって、基材表面６０に装着し、次に、表示物品５０をつまみ４４の下に挿入することができる。しかし、より一般的に、最初に、表示物品５０をクリップシート１１のつまみ４４の下に挿入し、それに接着して、接着クリップアセンブリ１０および表示物品５０の両方を含む接着表示アセンブリ７５を形成する。次に、接着表示アセンブリ７５を基材表面６０に接着する。接着表示アセンブリ７５の取扱いは、前面１２（領域３２）または後面１４（領域２８）上に接着剤を有さない接着クリップアセンブリ１０の上部部分をつかむことによって促進される。上述されたように、上部部分も、印を含むことができる。一実施形態において、クリップシート１１の下部部分（つまみ４４さえ含む）も、その上に印を含むことができ、これは、表示物品５０の外面５２上に支持されたいかなる印も補足または強調してもしなくてもよい。接着剤が、貼り直し可能な感圧接着剤である場合、接着表示アセンブリ７５を基材表面６０から取外し、その上に（または別の表面上に）貼り直すことができるか、表示物品５０を取外し、別の表示物品をそれの代わりに接着クリップアセンブリ１０上に接着することができる。
【００１８】
図７〜９は、本発明の接着クリップアセンブリの代替実施形態を示す。この実施形態において、接着クリップアセンブリ１１０が、中につまみ１４４が形成されたクリップシート１１１を有するが、つまみ１４４は、クリップシート１１のつまみ４４より細長く狭い。クリップシート１１１は、前面１１２と、後面１１４とを有するが、図８に見られるように、クリップシート１１１の後面１１４は、接着剤の層１２４によって完全に被覆される（つまみ１４４の後側を含む）。図９は、つまみ１４４の下に挿入され、つまみ１４４の後側上の接着剤、およびつまみ１４４のスプリング力によって、それに接着された表示物品１６０を示す。
【００１９】
図１０Ａ〜１０Ｊは、本発明の接着クリップアセンブリの代替実施形態を示す。見られるように、接着クリップアセンブリの周囲は、任意の所望の形状を呈することができ、その上に形成されたつまみは、表示物品の、つまみの下への挿入を可能にするように、その自由端が高くされることを可能にする任意の適切な形状であることができる。代表的なつまみ形状は、矩形、三角形、半円形、楕円形、またはそのような形状の組合せもしくは変形などの異なった構成を含む。接着クリップアセンブリは、意図された用途によって、サイズ、およびそれが形成されるシート材料の剛性が変わることができる。より小さい接着クリップアセンブリを使用して、名刺などの平坦な物体を、レポートカバー、バインダー、または手紙に取付けることができる。知られている、より高価なかつかさばったクリップ（たとえば、金属スプリングクリップまたは接着剤装着プラスチック成形クリップ）に代わる、より大きい、より堅い接着クリップアセンブリを使用して、通知または他の物体を、壁または垂直表面に取付けることができる。頂縁に沿った着色帯、または図１０Ａ（画鋲のイメージ）もしくは図１０Ｊ（顔のイメージ）に示されているような他の印などの印を接着クリップアセンブリ上に提供することができる。接着クリップアセンブリ上の印は、名刺表示物品上の名前および電話番号の、接着クリップアセンブリ上のそのような情報の繰返しなど、意図された表示物品上の印に対応することができる。
【００２０】
したがって、本発明の接着クリップアセンブリは、表示物品を基材表面に永久的にまたは一時的に取付けるための、低プロファイルかつ安価な（すなわち、使い捨ての）手段を提供する。貼り直し可能な感圧接着剤が接着クリップアセンブリの後面上に使用される場合、それは、必要に応じて、代替表示物品を表示するために再使用するか、貼り直すことができる。
【００２１】
使用前の保管のため、本発明の接着クリップアセンブリをバッキングシートに剥離可能に固定することができる。図１１は、複数の接着クリップアセンブリ２１０を支持するバッキングシート２０１を示す。接着クリップアセンブリ２１０は、各接着クリップアセンブリの後面上の接着剤によってバッキングシート２０１に接着される。バッキングシート２０１は、その上に剥離コーティングを有しても有さなくてもよく、紙またはプラスチックなどの任意の適切な材料から形成することができる。
【００２２】
あるいは、複数の接着クリップアセンブリをロール形態で提供することができる。一実施形態において、図１２に見られるように、バッキングシート３０１が巻かれてロール３０３にされる。バッキングシート３０１は、その１つの側上で、複数の接着クリップアセンブリ３１０を、その後面上の接着剤によって支持する。バッキングシート３０１は、その上に剥離コーティングを有しても有さなくてもよく、紙またはプラスチックなどの任意の適切な材料から形成することができる。別の実施形態において、接着クリップアセンブリのライナレスロールを提供することができ、各接着クリップアセンブリの前面は、他の接着クリップアセンブリの後面上の接着剤の分離を促進するために、低接着バックサイズコーティングで処理され、接着クリップアセンブリは分離可能である（ロールから各接着クリップアセンブリを切断することによって、または、分離を可能にする、行われたパーフォレーションによって）。
【００２３】
別の分配代替は、接着クリップアセンブリを積重ねられた形態で配列することである。図１３および図１４は、接着クリップアセンブリ４１０のパッド４０５を示す。パッド４０５内の接着クリップアセンブリは、Ｚ折り（Ｚ−ｆｏｌｄ）パッド構成に配列され、パッド４０５の各隣接した接着クリップアセンブリ４１０は、向きにおいて１８０度だけ交互する。各接着クリップアセンブリ４１０の１つの端部部分は、接着剤がない（その両側上で）。パッド４０５は、可撓性ディスペンサ４０７などの適切な分配装置内に維持されて、１つの接着クリップアセンブリ４１０がパッド４０５から剥離され、スタック内の隣の接着クリップアセンブリ４１０の一端を露出することを可能にする。「ポップアップディスペンサ」として一般に知られているこのタイプの分配機構、およびそれから分配されるシートが、米国特許第５，７６９，２７０号明細書に記載されている。代替シートおよびポップアップディスペンサが、米国特許第４，７７０，３２０号明細書および米国特許第４，９０７，８２５号明細書に記載されている。図１４は、そのようなスタックまたはパッド４０５内の複数の接着クリップアセンブリ４１０を分解図で示す。接着クリップアセンブリ４１０の第１の端部部分４０９は、その後面上に感圧接着剤を支持し、第２の部分４１１は接着剤を支持しない（いずれの面上にも）。各接着クリップアセンブリ４１０について、つまみは、接着性第１の端部部分４０９内に形成され、そのヒンジ端部は、接着剤のない第２の端部部分４１０に面する。
【００２４】
１つの特定の例において、図１０Ｋに示された一般構成を有する接着クリップアセンブリを、透明な５ミルのポリエステルフィルムから形成した。３Ｍ  ９４１５貼り直し可能な両面接着テープを使用して、微小球接着剤をフィルムの後面に付与した。接着剤は、フィルム内にカットされたつまみの後側を含む後面の大部分を被覆した。接着クリップアセンブリの頂部部分は、その後面上に（接着剤がない領域上に）色層を支持し、その前面は接着剤がなった。８−１／２×１１の紙のシートをつまみの下に挿入し、つまみを軽く押下げて、つまみの接着剤コーティングされた後側を紙のシートに付着した。次に、結果として生じる接着表示アセンブリ（接着クリップアセンブリおよび紙のシート）を、垂直塗装壁に付与して、その上に紙のシートを保持し表示した。
【００２５】
本発明を好ましい実施形態に関して説明したが、当業者は、本発明の精神および範囲から逸脱することなく、形態および詳細に変更を行うことができることを認めるであろう。
【図面の簡単な説明】
【００２６】
【図１】本発明の接着クリップアセンブリの第１の実施形態の正面図である。
【図２】表示部材が接着クリップアセンブリのつまみの下に挿入された、図１の接着クリップアセンブリの正面図である。
【図３】図２の線３−３に沿った断面図である。
【図４】図２の線４−４に沿った断面図である。
【図５】図１の線５−５に沿った断面図である。
【図５Ａ】接着クリップアセンブリのつまみの自由端の代替実施形態を示す、図１の線５−５に沿った断面図である。
【図６】図１の接着クリップアセンブリの背面図である。
【図７】本発明の接着クリップアセンブリの代替実施形態の正面図である。
【図８】図７の接着クリップアセンブリの斜視図である。
【図９】表示部材が接着クリップアセンブリのつまみの下に挿入された、図７の接着クリップアセンブリの正面図である。
【図１０Ａ−１０Ｋ】本発明の接着クリップアセンブリの代替実施形態の正面図である。
【図１１】保管および分配のためのバッキング層上に支持された、本発明の複数の接着クリップアセンブリの正面図である。
【図１２】巻かれたバッキング層上に装着された、本発明の接着クリップアセンブリのロールの斜視図である。
【図１３】接着クリップアセンブリディスペンサ内にＺ折り構成で配列された、本発明の接着クリップアセンブリのスタックの側面図を示す。
【図１４】図１３のスタック内の接着クリップアセンブリの向きを示す分解斜視図である。
【図１】
2008501550.tif 000003
【図２】
2008501550.tif 000004
【図３】
2008501550.tif 000005
【図４】
2008501550.tif 000006
【図５】
2008501550.tif 000007
【図５Ａ】
2008501550.tif 000008
【図６】
2008501550.tif 000009
【図７】
2008501550.tif 000010
【図８】
2008501550.tif 000011
【図９】
2008501550.tif 000012
【図１０Ａ】
2008501550.tif 000013
【図１０Ｂ】
2008501550.tif 000014
【図１０Ｃ】
2008501550.tif 000015
【図１０Ｄ】
2008501550.tif 000016
【図１０Ｅ】
2008501550.tif 000017
【図１０Ｆ】
2008501550.tif 000018
【図１０Ｇ】
2008501550.tif 000019
【図１０Ｈ】
2008501550.tif 000020
【図１０Ｉ】
2008501550.tif 000021
【図１０Ｊ】
2008501550.tif 000022
【図１０Ｋ】
2008501550.tif 000023
【図１１】
2008501550.tif 000024
【図１２】
2008501550.tif 000025
【図１３】
2008501550.tif 000026
【図１４】
2008501550.tif 000027
【国際調査報告】
2008501550.tif 000028
2008501550.tif 000029